(57)【特許請求の範囲】
【請求項１】
空間から内部空間を形成するための空間構成用構造体であって、
前記空間と前記内部空間との境界に配置された複数の支柱と、
複数の前記支柱にそれぞれ連結された複数の梁部材と、を備え、
前記複数の支柱のうち一つの前記支柱と、前記複数の梁部材のうち前記一つの支柱に基端部を介して片持ちで連結された一つの前記梁部材と、で１組の柱梁ユニットが構成され、
一の前記柱梁ユニットを構成する前記梁部材の先端部が、他の前記柱梁ユニットを構成する前記梁部材の基端部と先端部との間に連結され、複数組の前記柱梁ユニットの組み合わせのみで前記内部空間を形成していることを特徴とする空間構成用構造体。
【請求項２】
複数組の前記柱梁ユニットの前記梁部材が互いに連結されることで、平面視多角形状の内周フレーム部が形成されていることを特徴とする請求項１に記載の空間構成用構造体。
【請求項３】
一の前記梁部材において他の前記梁部材の先端部が連結される連結位置の前記一の梁部材の先端部からの寸法は、複数組の前記柱梁ユニット間で統一されていることを特徴とする請求項１または２に記載の空間構成用構造体。
【請求項４】
前記梁部材の側面には、前記梁部材の先端部と基端部とを結ぶ長手方向に連続する溝が形成され、
一の前記梁部材の先端部は、他の前記梁部材の前記溝に対して、前記溝に沿って移動可能に連結されることを特徴とする請求項１から３のいずれか一項に記載の空間構成用構造体。
【発明の詳細な説明】
【技術分野】
【０００１】
この発明は、室内や室外に設置される空間構成用構造体に関するものである。
【背景技術】
【０００２】
オフィスや展示ホール等の屋内、あるいは屋外において、各種の展示や打ち合わせ、飲食等を行うための空間を形成するため、床面上に立設した複数の支柱と、これら支柱の上端部同士を連結するよう設けた梁材と、を備えた空間構成用構造体が用いられている（例えば、特許文献１〜３参照）。
【０００３】
このような空間構成用構造体は、平面視した状態で、構造体の角部に配置された支柱と、互いに隣接する支柱間に設けられた梁材とに囲まれた内部空間を、その外側の外部空間から感覚的に仕切る。これにより、従来の空間構成用構造体は、仕切パネルや壁等を用いることなく、開放感のある内部空間を提供することができるとされている。
【先行技術文献】
【特許文献】
【０００４】
【特許文献１】特許第４６８４４０５号公報
【特許文献２】特許第５６０００１０号公報
【特許文献３】特表２００２−５２７１２９号公報
【発明の概要】
【発明が解決しようとする課題】
【０００５】
従来技術にあっては、空間構成用構造体によって形成される内部空間の大きさは、空間構成用構造体の平面形状によって決まる。すなわち、内部空間を大きくするには、互いに隣接する支柱の間に設けられる梁材を長くすることにより、支柱間の間隔を広げる必要がある。
しかしながら、支柱や梁材等の部材の長さは、空間構成用構造体を設置する場所までの部材の運搬手段によって制限されることがある。例えば、空間構成用構造体を設置するフロアまでのエレベータや出入口の内部寸法、部材を運搬するトラックの荷台の大きさ等によって制限される。このように、特に梁材の長さには制限があるため、空間構成用構造体の内部空間の大きさにも制限があるのが現状である。もちろん、複数の梁材の端部同士を接続することも可能ではあるが、その場合、部材点数増加や組立の手間がかかるため、コスト上昇に繋がる。
【０００６】
また、空間構成用構造体の内部空間に対して使用者が出入りするには、互いに隣接する柱の間を通ることになる。互いに隣接する柱の間には、上方に梁材が設けられている。このため、この梁材により、空間構成用構造体によって形成される内部空間の開放感が損なわれてしまう。
【０００７】
そこで、本発明は、上記事情に鑑みたものであって、より大きな内部空間を、より低コストで形成することができ、開放感をさらに向上することのできる空間構成用構造体の提供を課題とする。
【課題を解決するための手段】
【０００８】
上記の課題を解決するため、本発明の空間構成用構造体は、空間から内部空間を形成するための空間構成用構造体であって、前記空間と前記内部空間との境界に配置された複数の支柱と、複数の前記支柱にそれぞれ連結された複数の梁部材と、を備え、前記複数の支柱のうち一つの前記支柱と、前記複数の梁部材のうち前記一つの支柱に基端部を介して片持ちで連結された一つの前記梁部材と、で１組の柱梁ユニットが構成され、一の前記柱梁ユニットを構成する前記梁部材の先端部が、他の前記柱梁ユニットを構成する前記梁部材の基端部と先端部との間に連結され、複数組の前記柱梁ユニットの組み合わせのみで前記内部空間を形成していることを特徴としている。
【０００９】
本発明によれば、空間と内部空間との境界に配置された支柱に対して基端部が連結された梁部材は、その先端部が、他の梁部材の基端部と先端部との間に連結されている。これにより、支柱同士を一本の梁部材で連結する従来技術と比較して、互いに隣接する支柱同士の間隔をより広くすることができる。したがって、従来技術と比較してより大きな空間構成用構造体を形成することが可能となる。
また、空間構成用構造体において互いに隣接する柱同士を直線的に結ぶ梁部材が存在しないこととなるので、開放的な空間を形成することができる。
また、梁部材同士の連結位置を変更することで、同一の部材を使用しながら、空間構成用構造体の大きさを所望に変更することができる。
また、このような柱梁ユニットを複数組み合わせることで、空間構成用構造体をシステマティックかつ効率的に形成することができる。
【００１２】
また、複数組の前記柱梁ユニットの前記梁部材が互いに連結されることで、平面視多角形状の内周フレーム部が形成されていてもよい。
【００１３】
本発明によれば、空間構成用構造体に平面視で多角形状の内周フレーム部が形成されることで、空間構成用構造体が強固なものとなる。
【００１４】
また、一の前記梁部材において他の前記梁部材の先端部が連結される連結位置の前記一の梁部材の先端部からの寸法は、複数組の前記柱梁ユニット間で統一されていてもよい。
【００１６】
また、前記梁部材の側面には、前記梁部材の先端部と基端部とを結ぶ長手方向に連続する溝が形成され、一の前記梁部材の先端部は、他の前記梁部材の前記溝に対して、前記溝に沿って移動可能に連結されてもよい。
【００１７】
本発明によれば、一の梁部材と他の梁部材との連結位置を移動させることができるので、同じ長さの梁部材を用いつつ、様々な大きさ、レイアウトの空間構成用構造体を形成することが可能となる。
【発明の効果】
【００１８】
本発明によれば、空間と内部空間との境界に配置された支柱に対して基端部が連結された梁部材は、その先端部が、他の梁部材の基端部と先端部との間に連結されている。これにより、支柱同士を一本の梁部材で連結する従来技術と比較して、互いに隣接する支柱同士の間隔をより広くすることができる。したがって、従来技術と比較してより大きな空間構成用構造体を形成することが可能となる。
また、空間構成用構造体において互いに隣接する柱同士を直線的に結ぶ梁部材が存在しないこととなるので、開放的な空間を形成することができる。
また、梁部材同士の連結位置を変更することで、同一の部材を使用しながら、空間構成用構造体の大きさを所望に変更することができる。
【図面の簡単な説明】
【００１９】
【図１】本発明に係る空間構成用構造体の一実施形態を示す斜視図である。
【図２】梁部材同士の連結構造の一例を示す斜視展開図である。
【図３】空間構成用構造体の使用例を示す斜視図である。
【図４】空間構成用構造体の比較例を示す斜視図である。
【図５】本実施形態の変形例としての空間構成用構造体を示す斜視図である。
【図６】本実施形態の変形例としての空間構成用構造体を示す斜視図である。
【図７】本実施形態の変形例としての空間構成用構造体を示す斜視図である。
【図８】本実施形態の変形例としての空間構成用構造体を示す斜視図である。
【図９】本実施形態の変形例としての空間構成用構造体を示す斜視図である。
【図１０】本実施形態の変形例としての空間構成用構造体を示す斜視図である。
【図１１】本実施形態の変形例としての空間構成用構造体を示す斜視図である。
【図１２】本実施形態の変形例としての空間構成用構造体を示す斜視図である。
【図１３】本実施形態の変形例としての空間構成用構造体を示す斜視図である。
【発明を実施するための形態】
【００２０】
次に、この発明の実施形態を図面に基づいて説明する。
図１は、本発明に係る空間構成用構造体の一例を示す斜視図である。
図１に示すように、空間構成用構造体１０は、複数組（この実施形態では、例えば４組）の柱梁ユニット１１を組み合わせることで構成されている。
【００２１】
各柱梁ユニット１１は、支柱１２と、梁部材１３と、を備えている。
支柱１２は、下端部１２ａが床面上に接地され、下端部１２ａから上端部１２ｂに向かって上下方向に延びるよう設けられる。
梁部材１３は、その一端側の基端部１３ａが支柱１２の上端部１２ｂに、例えばボルト等によって連結されている。これにより、柱梁ユニット１１は、略Ｌ字状をなしている。
【００２２】
支柱１２および梁部材１３は、金属製、樹脂製、木製等、いかなる材料から形成されていてもよい。また、図１において、支柱１２および梁部材１３は、直線状に延びる杆体からなるものとしている。しかし、これに限らず、支柱１２および梁部材１３は、中空の管状や板状であってもよい。
【００２３】
各柱梁ユニット１１は、支柱１２の下端部１２ａを床面上に接地させた状態で、梁部材１３が、他の柱梁ユニット１１の梁部材１３に対し、平面視した状態で所定の角度（本実施形態では９０°）で交差する方向に延びるように配置される。各柱梁ユニット１１の梁部材１３は、他端側の先端部１３ｂが、他の柱梁ユニット１１の梁部材１３の側面１３ｓに連結されている。梁部材１３の先端部１３ｂの連結位置Ｐは、他の柱梁ユニット１１の梁部材１３の基端部１３ａと先端部１３ｂとの間となっている。
【００２４】
本実施形態では、支柱１２および梁部材１３の長さは、空間構成用構造体１０を構成する複数の柱梁ユニット１１においてそれぞれ同一となっている。
【００２５】
また、本実施形態では、各柱梁ユニット１１の梁部材１３の先端部１３ｂは、他の柱梁ユニット１１の梁部材１３への連結位置Ｐが統一されている。すなわち、空間構成用構造体１０を構成する複数の柱梁ユニット１１間で、各梁部材１３において他の梁部材１３の先端部１３ｂが連結される連結位置Ｐは、先端部１３ｂからの寸法Ｌ１が統一されている。
このようにすると、空間構成用構造体１０には、平面視した状態で、複数の柱梁ユニット１１の梁部材１３同士が正多角形状（本実施形態では正方形状）に組まれた内周フレーム部１５が形成される。
【００２６】
図２は、梁部材同士の連結構造の一例を示す斜視展開図である。
図２に示すように、各梁部材１３の先端部１３ｂは、他の梁部材１３の側面１３ｓに対して、例えば以下のようにして連結されている。
各梁部材１３の側面１３ｓには、梁部材１３の基端部１３ａと先端部１３ｂとを結ぶ長手方向に連続する２本の溝１６が形成されている。溝１６は、梁部材１３の側面１３ｓに形成されたスリット１６ａと、スリット１６ａに対し、梁部材１３の幅方向内方に連続して形成された溝条部１６ｂと、により形成されている。
【００２７】
各梁部材１３の先端部１３ｂには、先端面１３ｔを覆うプレート部材１７が、雄ネジ１８によって装着されている。
プレート部材１７には、梁部材１３の上面に形成された凹部１３ｃに臨む位置に、梁部材１３の先端面１３ｔから離間するにしたがって斜め下方に延びる貫通孔１７ｈが形成されている。また、プレート部材１７には、下端面から上方に向かって延びる雌ネジ孔１７ｎが形成されている。
【００２８】
このように先端面１３ｔにプレート部材１７を装着した梁部材１３と、側面１３ｓに溝１６が形成された他の梁部材１３とは、ジョイント金具２０を介して連結される。
【００２９】
ジョイント金具２０は、梁部材１３の側面１３ｓに沿うよう配置される。ジョイント金具２０には、溝１６に対応する位置にネジ挿通孔２０ｈが形成されている。溝１６の溝条部１６ｂ内には、ジョイント金具２０に対向する位置に、それぞれ板状の係止プレート２１が挿入配置される。各係止プレート２１には、その板厚方向に貫通する雌ネジ孔２１ｈが形成されている。ジョイント金具２０は、それぞれのネジ挿通孔２０ｈに、ビス２２を挿通させ、スリット１６ａを通して溝条部１６ｂ内の係止プレート２１の雌ネジ孔２１ｈにねじ込むことで、梁部材１３の側面１３ｓに対して設置される。係止プレート２１は、溝１６内を溝１６に沿って移動可能となっている。
【００３０】
ジョイント金具２０には、その上部に、梁部材１３の側面１３ｓに近づくにしたがって斜め下方に延びる雌ネジ孔２０ｎが形成されている。
さらに、ジョイント金具２０には、その下部に、梁部材１３の側面１３ｓから離間する方向に延びる受け部２０ｕが形成されている。受け部２０ｕには、上下方向に貫通する貫通孔２０ｋが形成されている。
【００３１】
このように梁部材１３の側面１３ｓに固定したジョイント金具２０に対し、梁部材１３の先端面１３ｔに装着されたプレート部材１７を突き当てる。このとき、ジョイント金具２０の受け部２０ｕ上にプレート部材１７を載置する。この状態で、受け部２０ｕに形成された貫通孔２０ｋを通して、プレート部材１７の雌ネジ孔１７ｎにボルト２３をねじ込む。これとともに、梁部材１３の凹部１３ｃから、プレート部材１７の貫通孔１７ｈを通して、ジョイント金具２０の雌ネジ孔２０ｎにボルト２４を斜め下方に向かってねじ込む。これによって、ジョイント金具２０とプレート部材１７とが連結される。このとき、一の梁部材１３の先端部１３ｂは、他の梁部材１３の側面１３ｓの溝１６に対して、溝１６に沿って移動可能に連結される。
【００３２】
このような空間構成用構造体１０を設置するには、所定本数の各柱梁ユニット１１を、所定の設置位置まで搬入する。このとき、各柱梁ユニット１１は、支柱１２と梁部材１３とを連結せずに別々の状態とされる。これにより、支柱１２、梁部材１３の長さが、搬入経路上のエレベータや開口部の内部寸法以内であれば、搬入を容易に行うことができる。
【００３３】
設置場所においては、各柱梁ユニット１１を構成する支柱１２と梁部材１３とを、ボルト等によって一体に連結する。
次いで、一の柱梁ユニット１１の梁部材１３の先端部１３ｂにプレート部材１７を装着し、他の柱梁ユニット１１の梁部材１３の側面１３ｓに、ジョイント金具２０を介してボルト等で連結する。所定本数の柱梁ユニット１１同士を、同様にして連結していくことで、図１に示すような空間構成用構造体１０を組み立てることができる。
【００３４】
図３は、空間構成用構造体の使用例を示す斜視図である。
図３に示すように、このようにして組み立てられた空間構成用構造体１０は、複数の支柱１２によって周囲を囲まれ、上方に複数の梁部材１３が設けられた内部空間Ｓを形成する。内部空間Ｓは、境界に配置された複数の支柱１２によって、外部空間から感覚的に仕切られる。内部空間Ｓには、例えばテーブル１００やチェア１０１等が配置される。これにより、内部空間Ｓは、例えば展示や打ち合わせ、飲食等の様々な用途に使用可能とされる。
【００３５】
ここで、図４は、本実施形態の空間構成用構造体１０（図１参照）と大きさを比較するため、空間構成用構造体１０の梁部材１３（図１参照）と同じ長さの梁部材の両端部をそれぞれ支柱に連結した空間構成用構造体の比較例を示す斜視図である。
図４に示すように、比較例に係る空間構成用構造体１では、互いに隣接する比較用支柱２の間に、本実施形態に係る空間構成用構造体１０の梁部材１３（図３参照）と同じ長さＬ０の比較用梁部材３の両端部を連結する。このとき、比較用支柱２の間隔Ａ０は、比較用梁部材３と同じ長さＬ０となる。
【００３６】
これに対し、図３に示すように、本実施形態に係る空間構成用構造体１０は、平面視した状態で、互いに隣接する支柱１２、１２の間隔Ａ１が、梁部材１３の長さＬ０よりも大きくなる。より詳しくは、平面視すると、梁部材１３の先端部１３ｂと他の梁部材１３との連結位置Ｐと、互いに隣接する支柱１２とが直角三角形の頂点に対応する位置に配置されている。互いに隣接する支柱１２、１２同士を結ぶ仮想線Ｋは、直角三角形の斜辺となる。斜辺となる仮想線Ｋの長さは、隣辺となる梁部材１３の長さＬ０よりも長くなる。
【００３７】
したがって、本実施形態における空間構成用構造体１０は、内部空間Ｓが広くなる。
また、空間構成用構造体１０において、互いに隣接する支柱１２の上端部同士を直線的に結ぶ部分（図３中に仮想線Ｋで図示）には、梁部材１３が存在しない。
【００３８】
本実施形態の空間構成用構造体１０において、一の梁部材１３は、基端部１３ａが一の支柱１２に連結され、先端部１３ｂが、他の支柱１２に基端部１３ａが連結された他の梁部材１３に連結されている。これにより、比較用支柱２同士を一本の比較用梁部材３で直接連結する場合（図４の比較例参照）と比較して、空間構成用構造体１０の外周部において互いに隣接する支柱１２同士の間隔Ａ１をより広くすることができる。したがって、同じ長さの梁部材１３を用いながら、支柱１２同士を梁部材１３で直接連結する構成に比較し、より広い空間構成用構造体１０を形成することが可能となる。その結果、所定の設置位置までの搬送経路上にあるエレベータや開口部等の寸法によって、梁部材１３の長さが制限されたとしても、より大きな内部空間を形成することが可能となる。
また、空間構成用構造体１０の外周部において互いに隣接する支柱１２同士を直線的に結ぶ梁部材１３が存在しないので、開放感をさらに向上することが可能となる。
【００３９】
また、空間構成用構造体１０は、支柱１２と梁部材１３とからなる柱梁ユニット１１を複数組み合わせて形成されているので、空間構成用構造体１０をシステマティックかつ効率的に形成することができる。
【００４０】
また、空間構成用構造体１０の内周部に、複数の梁部材１３の先端部１３ｂ側が互いに連結されることで、平面視四角形状の内周フレーム部１５が形成されている。これにより、空間構成用構造体１０が強固なものとなる。
【００４１】
また、梁部材１３の先端部１３ｂと、他の梁部材１３との連結位置Ｐの下方は、支柱１２が存在しない無柱部とされている。これによって、空間構成用構造体１０の内部空間Ｓが、より一層開放的となる。
【００４２】
また、梁部材１３の側面１３ｓに溝１６が形成され、梁部材１３の先端部１３ｂは、他の梁部材１３の側面１３ｓに設けられた溝１６の任意の位置に連結可能とされている。これにより、同じ長さの梁部材１３を用いつつ、様々な大きさ、レイアウトの空間構成用構造体１０を形成することが可能となる。
【００４３】
（実施形態の変形例）
次に、上記実施形態の各変形例を示す。
上記実施形態で示したような構成では、支柱１２と梁部材１３とを用いることで、様々な構成の空間構成用構造体を構成することができる。
図５から図１３は、それぞれ本発明の実施形態の変形例としての空間構成用構造体を示す斜視図である。
図５および図６に示すように、一の柱梁ユニット１１を構成する梁部材１３の先端部１３ｂと、他の柱梁ユニット１１の梁部材１３の側面１３ｓとの連結位置Ｐは、梁部材１３の基端部１３ａと基端部１３ａとの間であれば、図１とは異なる様々な位置とすることができる。これらの変形例の場合、梁部材１３の長さを変更することなく、連結位置Ｐを変更するのみで、空間構成用構造体１０の大きさを容易に変更することができる。
【００４４】
また、上記実施形態では、各柱梁ユニット１１において、柱梁ユニット１１の梁部材１３に対する連結位置Ｐが統一され、これにより、正四角形状の内周フレーム部１５が形成されていた。
これに対し、図７に示すように、複数の柱梁ユニット１１において、柱梁ユニット１１の梁部材１３の連結位置Ｐを異ならせ、内周フレーム部１５を、例えば平面視長方形状となるように空間構成用構造体１０を形成することもできる。
【００４５】
さらに、上記実施形態では、空間構成用構造体１０を構成する全ての柱梁ユニット１１の梁部材１３の先端部を、他の梁部材１３の側面１３ｓに連結するようにしたが、これに限らない。
図８に示すように、一部（図８の例では互いに対向する２つ）の柱梁ユニット１１Ａにおいては、梁部材１３Ｃの先端部１３ｂを他の柱梁ユニット１１Ｂの梁部材１３Ｄに連結し、他の一部（図８の例では、残る２つ）の柱梁ユニット１１Ｂにおいては、梁部材１３Ｄの先端部１３ｂを他の柱梁ユニット１１Ａの支柱１２に連結するようにしてもよい。
【００４６】
また、上記実施形態および各変形例では、空間構成用構造体１０を、４組の柱梁ユニット１１から形成したが、これに限らない。
例えば、図９に示すように、３組の柱梁ユニット１１から空間構成用構造体１０Ｂを形成し、三角形状の内周フレーム部１５Ｂを構成するようにしても良い。
また、図１０に示すように、５組の柱梁ユニット１１から空間構成用構造体１０Ｃを形成し、五角形状の内周フレーム部１５Ｃを構成するようにしても良い。
これ以外にも、６組以上であるｎ組の柱梁ユニット１１から形成すれば、ｎ角形の内周フレーム部を備えた空間構成用構造体を形成することができる。
【００４７】
このように、４組を除く３組または５組以上の柱梁ユニット１１から空間構成用構造体を形成する場合、一の柱梁ユニット１１を構成する梁部材１３の先端部１３ｂは、他の柱梁ユニット１１の梁部材１３の側面１３ｓに対し、斜めに交差して連結される。その場合、図２に示したようなジョイント金具２０は、梁部材１３の先端部１３ｂと他の梁部材１３の側面１３ｓとの交差角度に応じ、平面視三角形状の断面形状に形成されていればよい。
【００４８】
また、図１１に示すように、中間部に支柱３０を有する長尺の梁部材２５と、その両端部２５ａ、２５ａにそれぞれ２組ずつ設けられた柱梁ユニット１１と、により空間構成用構造体１０Ｄを構成することもできる。具体的には、長尺の梁部材２５の両端部２５ａ、２５ａのそれぞれにおいて、図９に示した空間構成用構造体１０Ｂと同様にして、梁部材２５の端部２５ａと、他の２つの柱梁ユニット１１の梁部材１３の先端部１３ｂとを、それぞれ、他の梁部材１３の側面１３ｓと梁部材２５の側面２５ｓとに交差させて連結するようにしてもよい。このようにすると、梁部材２５の両端部２５ａ、２５ａに、それぞれ三角形状の内周フレーム部１５Ｄが形成される。
【００４９】
図１２に示すように、梁部材２６は、両端部２６ａ，２６ｂにそれぞれ支柱２７を有する門型に形成されている。空間構成用構造体１０Ｅは、梁部材２６に対して、柱梁ユニット１１の梁部材１３の先端部１３ｂを、梁部材２６の端部２６ａ，２６ｂ間の側面２６ｓに連結するようにして構成されてもよい。このようにして、平面視Ｔ字状の空間構成用構造体１０が形成される。
このように、空間構成用構造体１０Ｅにおいて、一の梁部材１３の先端部１３ｂを他の梁部材２６の側面２６ｓに連結するようにしてもよい。また、このような構成において、柱梁ユニット１１の支柱１２と、その両側の支柱２７、２７との間隔Ａ２は、平面視した状態で、梁部材１３の長さＬ０よりも大きくなる。また、互いに隣接する支柱１２と支柱２７の上端部同士を直線的に結ぶ部分（図１２中において仮想線Ｋで図示）には、梁部材１３が存在しない。
【００５０】
また、図１３に示すように、空間構成用構造体１０Ｆを構成する一部の梁部材２９の長さＬ２を、他の柱梁ユニット１１の梁部材１３の長さＬ０よりも長くするようにしてもよい。図１３の例では、４本の梁部材２９が互いに平行となるよう配置されている。これら柱梁ユニット１１は、梁部材１３の先端部１３ｂを、梁部材２９に交差させて連結することで、３つの矩形状の内周フレーム部１５を構成している。
【００５１】
なお、本発明は、図面を参照して説明した上述の各実施形態に限定されるものではなく、その技術的範囲において様々な変形例が考えられる。
例えば、一の梁部材１３の先端部１３ｂと他の梁部材１３の側面１３ｓとを、プレート部材１７およびジョイント金具２０を介して連結するようにしたが、これに限らない。梁部材１３の先端部１３ｂを、他の梁部材１３の側面１３ｓに対して所定の交差する方向から連結することができるのであれば、いかなる連結構造としてもよい。
例えば、一の梁部材１３の先端部１３ｂと、他の梁部材１３の側面１３ｓとにそれぞれ沿うプレート部を有したＬ字状またはＶ字状の金具により、一の梁部材１３の先端部１３ｂと他の梁部材１３の側面１３ｓとを、所定の交差角度に拘束した状態で互いに連結してもよい。
【００５２】
また、ジョイント金具２０として、例えば、一の梁部材１３の先端部１３ｂの先端面１３ｔと、他の梁部材１３の側面１３ｓとにそれぞれ沿うプレート部同士を、ヒンジを介して回動自在に連結した、いわゆるヒンジ金具を用いてもよい。
【００５３】
また、上記実施形態では、一の梁部材１３の側面１３ｓに沿って溝１６を形成し、この溝１６に沿った任意の位置に他の梁部材１３の先端部１３ｂを連結するようにしたが、これに限らない。梁部材１３の側面１３ｓに、梁部材１３の長手方向に間隔を空けて複数のネジ孔を形成しておき、これらのネジ孔を利用して梁部材１３の先端部１３ｂを所望の位置で連結するようにしてもよい。
【００５４】
また、上記実施形態では、一の梁部材１３の先端部１３ｂを、他の梁部材１３の側面１３ｓに連結するようにしたが、これに限らない。例えば、一の梁部材１３の先端部１３ｂを、他の梁部材１３の上面や下面に連結するようにしてもよい。
【００５５】
その他、本発明の趣旨を逸脱しない範囲で、上記した実施の形態における構成要素を周知の構成要素に置き換えることは適宜可能である。
【符号の説明】
【００５６】
１０、１０Ｂ、１０Ｃ、１０Ｄ、１０Ｅ、１０Ｆ  空間構成用構造体
１１、１１Ａ、１１Ｂ  柱梁ユニット
１２、２７、３０  支柱
１３、１３Ｃ、１３Ｄ２５、２６、２９  梁部材
１３ａ  基端部
１３ｂ  先端部
１３ｓ  側面
１５、１５Ｂ、１５Ｃ、１５Ｄ  内周フレーム部
１６  溝
１７  プレート部材
２０  ジョイント金具
【図１】
0006715596.tif 000002
【図２】
0006715596.tif 000003
【図３】
0006715596.tif 000004
【図４】
0006715596.tif 000005
【図５】
0006715596.tif 000006
【図６】
0006715596.tif 000007
【図７】
0006715596.tif 000008
【図８】
0006715596.tif 000009
【図９】
0006715596.tif 000010
【図１０】
0006715596.tif 000011
【図１１】
0006715596.tif 000012
【図１２】
0006715596.tif 000013
【図１３】
0006715596.tif 000014